(57)【要約】  ネットワーク制御システム５００は、無線アクセスネットワーク（RAN）（１００）、モバイルバックホール（MBH）（２００）、及びコアネットワーク（CN）（３００）のうち少なくとも２つのネットワークを複数のMNOで共用するために、複数のMNO間のネットワークリソースの配分を示す共通のリソース配分情報に従って、RAN（１００）、MBH（２００）、及びCN（３００）のうち共用される少なくとも２つのネットワークのそれぞれにネットワークリソースの設定を実施するよう動作する。これにより、共用される少なくとも２つのネットワークに対するネットワークリソースの割り当ての効率的な設定に寄与する。
2015056392.tif 000002
【特許請求の範囲】
【請求項１】
無線アクセスネットワーク、モバイルバックホールネットワーク、及びコアネットワークのうちの２つ又は全てのネットワークを複数のモバイルネットワークオペレータで共用するために、前記複数のモバイルネットワークオペレータ間のネットワークリソースの配分を示す共通のリソース配分情報に従って前記２つ又は全てのネットワークのそれぞれにネットワークリソースの設定を実施する制御モジュールを備える、
ネットワーク制御システム。
【請求項２】
前記制御モジュールは、前記無線アクセスネットワークの無線リソースの割り当てに関する第１の設定を前記リソース配分情報に従って生成し、前記無線アクセスネットワーク内の第１のネットワークエレメントに前記第１の設定を適用する、請求項１に記載のネットワーク制御システム。
【請求項３】
前記第１の設定は、前記第１のネットワークエレメントにおいて、ダウンリンク送信及びアップリンク送信の少なくとも一方のスケジューリングに反映される、請求項２に記載のネットワーク制御システム。
【請求項４】
前記制御モジュールは、前記モバイルバックホールネットワークのネットワーク帯域の割り当てに関する第２の設定を前記リソース配分情報に従って生成し、前記モバイルバックホールネットワーク内の第２のネットワークエレメントに前記第２の設定を適用する、請求項１〜３のいずれか１項に記載のネットワーク制御システム。
【請求項５】
前記第２の設定は、前記第２のネットワークエレメントにおいて、Virtual Private Network（VPN）設定、Virtual Local Area Network（VLAN）設定、Multi-protocol Label Switching（MPLS）設定、トラフィックシェーピング設定、及びトラフィックスケジューリング設定のうち少なくとも１つに反映される、請求項４に記載のネットワーク制御システム。
【請求項６】
前記制御モジュールは、前記コアネットワークを構成する少なくとも１つのハードウェアにおいて前記複数のモバイルオペレータそれぞれの仮想化されたコアネットワークノードを動作させるための第３の設定を前記リソース配分情報に従って生成し、前記少なくとも１つのハードウェアに前記第３の設定を適用する、請求項１〜５のいずれか１項に記載のネットワーク制御システム。
【請求項７】
前記第３の設定は、前記少なくとも１つのハードウェアのコンピューティングリソースの割り当てを示す、請求項６に記載のネットワーク制御システム。
【請求項８】
前記制御モジュールは、前記コアネットワークのネットワークリソースの割り当てに関する第３の設定を前記リソース配分情報に従って生成し、前記コアネットワーク内の第３のネットワークエレメントに前記第３の設定を適用する、請求項１〜５のいずれか１項に記載のネットワーク制御システム。
【請求項９】
前記第３の設定は、前記第３のネットワークエレメントにおいて、トラフィックシェーピング設定及びトラフィックスケジューリング設定のうち少なくとも１つに反映される、請求項８に記載のネットワーク制御システム。
【請求項１０】
前記制御モジュールは、前記リソース配分情報をOperations Support System（OSS）から受信する、請求項１〜９のいずれか１項に記載のネットワーク制御システム。
【請求項１１】
前記制御モジュールは、
前記リソース配分情報を前記２つ又は全てのネットワークのそれぞれに適用されるネットワークリソースの設定情報に変換する仲介モジュールと、
前記設定情報を前記２つ又は全てのネットワークのそれぞれに適用する実施モジュールと、
を備える、
請求項１〜１０のいずれか１項に記載のネットワーク制御システム。
【請求項１２】
前記仲介モジュールは、Software Defined Networking（SDN）コントローラを含み、
前記実施モジュールは、前記無線アクセスネットワークと結合されるElement Management System（EMS）及び前記モバイルバックホールネットワークと結合されるBackhaul Resource Manager（BRM）のうち少なくとも１つを含む、
請求項１１に記載のネットワーク制御システム。
【請求項１３】
前記リソース配分情報は、前記複数のモバイルネットワークオペレータそれぞれに配分されるべきネットワークリソースの量又は割合を示す、請求項１〜１２のいずれか１項に記載のネットワーク制御システム。
【請求項１４】
前記リソース配分情報は、前記複数のモバイルネットワークオペレータそれぞれに固定的に配分されるネットワークリソースの量又は割合と、前記複数のモバイルネットワークオペレータによって共用されるネットワークリソースの量又は割合を示す、請求項１３に記載のネットワーク制御システム。
【請求項１５】
前記リソース配分情報は、第１のリソース配分情報、及び前記第１のリソース配分情報とはネットワークリソースの配分が異なる第２のリソース配分情報を含み、
前記制御モジュールは、前記２つ又は全てのネットワークのうちのいずれかのネットワークの通信状態に応じて前記第１及び第２のリソース配分情報のいずれを使用するかを選択し、選択されたリソース配分情報に従って前記２つ又は全てのネットワークのそれぞれにネットワークリソースの設定を実施する、
請求項１〜１４のいずれか１項に記載のネットワーク制御システム。
【請求項１６】
前記いずれかのネットワークは、前記モバイルバックホールネットワークであり、
前記モバイルバックホールネットワークは、ポイントツーポイント無線リンクを含み、
前記通信状態は、前記ポイントツーポイント無線リンクの通信品質、スループット、変調スキーム、及び符号化率の少なくとも１つに関する、
請求項１５に記載のネットワーク制御システム。
【請求項１７】
複数のモバイルネットワークオペレータ間のネットワークリソースの配分を示す共通のリソース配分情報を受信すること、及び
無線アクセスネットワーク、モバイルバックホールネットワーク、及びコアネットワークのうちの２つ又は全てのネットワークを前記複数のモバイルネットワークオペレータで共用するために、前記リソース配分情報を前記２つ又は全てのネットワークのそれぞれに適用されるネットワークリソースの設定情報に変換すること、
を備える制御方法。
【請求項１８】
請求項１７に記載の制御方法を行う手段を備える、コンピュータシステム。
【請求項１９】
請求項１７に記載の制御方法をコンピュータに行わせるためのプログラムを格納した非一時的なコンピュータ可読媒体。
【請求項２０】
無線アクセスネットワーク、モバイルバックホールネットワーク、及びコアネットワークのうちの２つ又は全てのネットワークを複数のモバイルネットワークオペレータで共用するために、前記複数のモバイルネットワークオペレータ間のネットワークリソースの配分を示す共通のリソース配分情報を前記２つ又は全てのネットワークのそれぞれに適用されるネットワークリソースの設定情報に変換する仲介モジュールを備える、
ネットワーク制御装置。
【請求項２１】
前記設定情報は、前記無線アクセスネットワークの無線リソースの割り当てに関する第１の設定情報を含み、
前記第１の設定情報は、前記無線アクセスネットワーク内の第１のネットワークエレメントにおいて、ダウンリンク送信及びアップリンク送信の少なくとも一方のスケジューリングに反映される、
請求項２０に記載のネットワーク制御装置。
【請求項２２】
前記設定情報は、前記モバイルバックホールネットワークのネットワーク帯域の割り当てに関する第２の設定情報を含み、
前記第２の設定情報は、前記モバイルバックホールネットワーク内の第２のネットワークエレメントにおいて、Virtual Private Network（VPN）設定、Virtual Local Area Network（VLAN）設定、Multi-protocol Label Switching（MPLS）設定、トラフィックシェーピング設定、及びトラフィックスケジューリング設定のうち少なくとも１つに反映される、
請求項２０又は２１に記載のネットワーク制御装置。
【請求項２３】
モバイルバックホールネットワークの管理システムと通信することで前記モバイルバックホールネットワークの通信状態を示すメッセージを受信するとともに、前記モバイルバックホールネットワークの通信状態に応じて、無線アクセスネットワーク又はコアネットワークに適用される複数のモバイルネットワークオペレータに対するネットワークリソースの割り当て設定を変更する実施モジュールと、
を備える、ネットワーク管理装置。
【発明の詳細な説明】
【技術分野】
【０００１】
本出願は、モバイル通信ネットワークの制御に関する。
【背景技術】
【０００２】
モバイル通信ネットワークの例は、Universal Mobile Telecommunications System（UMTS）、及びEvolved Packet System（EPS）を含む。モバイル通信ネットワークは、無線アクセスネットワーク（Radio Access Network（RAN））及びコアネットワーク（Core Network（CN））を含む。RANの例は、UMTS Terrestrial Radio Access Network（UTRAN）、及びEvolved UTRAN（EUTRAN）である。コアネットワークの例は、UMTSコアネットワーク、及びEvolved Packet Core（EPC）である。RANは、無線アクセス技術によって移動局と接続する基地局（例えば、NodeB及びEvolved NodeB）を含む。コアネットワークは、RANを介して移動局からアクセスされ、移動局に対して外部ネットワークへの接続サービス（例えば、Internet Protocol（IP）接続サービス）を提供する。【０００３】
さらに、本明細書において、モバイル通信ネットワークは、モバイルバックホール（Mobile backhaul（MBH））を含む。モバイルバックホールは、基地局（例えば、NodeB及びEvolved NodeB）が設置されたサイト（セルサイト）と上位ネットワーク装置（例えば、Radio Network Controller（RNC）、SGSN Serving GPRS Support Node（SGSN）、Serving Gateway（SGW）、Mobility Management Entity（MME）が設置されたサイトの間を接続するネットワークである。モバイルバックホールは、基地局と上位ネットワーク装置の間のIPパケット転送サービスを提供するために、物理レイヤ（レイヤ１）ネットワークと、物理レイヤネットワーク上でIPパケットを転送するためのパケットトランスポートネットワークを含む。物理レイヤネットワークは、光ファイバ（例えば、Passive Optical Network（PON）、Synchronous Optical Network（SONET）/Synchronous Digital Hierarchy（SDH）、Wavelength Division Multiplexing （WDM））、銅線（例えば、E1/T1ネットワーク、Digital Subscriber Line（DSL））、若しくは無線リンク（例えば、マイクロ波ポイントツーポイントリンク）、又はこれらの組み合わせによって構成される。パケットトランスポートネットワークは、例えば、Virtual Local Area Network（VLAN）技術若しくはMulti-Protocol Label Switching（MPLS）技術、又はこれらの組み合わせを利用する。【０００４】
モバイル通信ネットワークの展開に要するコストを複数のモバイルネットワークオペレータ（Mobile Network Operator（MNO））で分担するための手法としてネットワークシェアリングが利用されている。ネットワークシェアリングには、様々な形態がある。例えば、複数のMNOがRANを共用するための２つの構成、すなわちGateway Core Network（GWCN）及びMulti-Operator Core Network（MOCN）が非特許文献１に示されている。GWCNでは、RANが複数のMNOによって共用され、さらに一部のCNノード（例えば、SGSN又はMME）も複数のMNOによって共用される。これに対して、MOCNでは、RANが複数のMNOによって共用されるが、コアネットワークは共用されない。つまり、MOCNでは、複数のMNOそれぞれのCNノード（例えば、SGSN又はMME）が、同じRANノード（例えば、RNC又はeNodeB）に接続される。【０００５】
さらに、複数のMNOがコアネットワークを共用する形態の１つとして、仮想化されたコアネットワークが知られている（例えば、特許文献１及び２を参照）。仮想化されたコアネットワークは、サーバ仮想化技術及びネットワーク仮想化技術を利用し、コアネットワークのコントロールプレーン若しくはデータプレーン又はこれら両方を抽象化する。すなわち、仮想化されたコアネットワークでは、各MNOのCNノード（例えば、MME、S/PGWのコントロールプレーン、及びS/PGWのデータプレーン）は、サーバー・プールに設定された仮想マシン、又は物理的なスイッチ群に設定された仮想ルータとして実現される。【０００６】
複数のMNOがRAN、又はRAN及びコアネットワークを共用する場合、一般的に、モバイルバックホールも複数のMNOによって共用される。すなわち、モバイルバックホールは、複数のMNOのトラフィックを転送する。
【先行技術文献】
【特許文献】
【０００７】
【特許文献１】米国特許出願公開第２０１２／０３００６１５号明細書
【特許文献２】米国特許出願公開第２０１３／０１８３９９１号明細書
【非特許文献】
【０００８】
【非特許文献１】3GPP TS 23.251 V11.5.0 (2013-03), “3rd Generation Partnership Project; Technical Specification Group Services and System Aspects; Network Sharing; Architecture and functional description (Release 11)”, 2013年3月
【発明の概要】
【発明が解決しようとする課題】
【０００９】
RAN、モバイルバックホール、及びコアネットワークを複数のMNOで共用する場合、複数のMNO間のネットワークリソースの配分を定めた合意又は契約に基づいて、ネットワークリソースの割り当てがRAN、モバイルバックホール、及びコアネットワークのそれぞれに対して設定されなければならない。しかしながら、RAN、モバイルバックホール、及びコアネットワークは、複数のMNOに割り当てられるべきネットワークリソースがそれぞれ異なる。具体的には、RANのネットワークリソースは、例えば、時間及び周波数、及び送信電力のうち少なくとも１つを含む無線リソースである。RANのネットワークリソースは、無線リソースに代えて又はこれと組み合わせて、無線接続を確立した移動局（User Equipment（UE））数、UE種別および確立ベアラ種別に基づいて計算されたセル負荷、トランスポートリソース、Central Processing Unit（CPU）及びメモリなどのRAN内ハードウェアリソースのうち少なくとも１つを含んでもよい。モバイルバックホールのネットワークリソースは、例えば、トラフィックシェーピング及びトラフィックスケジューリングに基づくVLAN又はMPLSのラベルパスに対する保証帯域、並びにトラフィック種別（VLAN ID、UE種別、確立ベアラ種別またはDiffServ Code Point（DSCP）など）に基づくWeighted Round Robin（WRR）又はWeighted Fair Queuing（WFQ）のキュー優先度設定及びウェイト設定を含む。また、コアネットワークのネットワークリソースは、例えば、データプレーンのCNノード（例えば、SGW、PGW、SGSNのデータプレーン、Gateway GPRS Support Node（GGSN））におけるCPU利用率、メモリ利用率、トラフィック流入量及び流出量の保証帯域、並びにコントロールプレーンのCNノードの処理時間を含む。また、仮想化されたコアネットワークの場合、コアネットワークのネットワークリソースは、仮想化されたCNノードに割り当てられるコンピューティングリソース又は帯域（スイッチング容量）を含む。したがって、オペレータは、複数のMNO 間のネットワークリソースの配分を定めた合意又は契約に従って、RAN、モバイルバックホール、及びコアネットワークのそれぞれに対して個別に設定を実施する必要があり、設定作業の負荷が大きいという問題がある。【００１０】
本明細書に開示される実施形態の少なくとも１つは、上述の問題に対処することを目的としている。すなわち、本明細書に開示される実施形態が達成しようとする目的の１つは、RAN、モバイルバックホール、及びコアネットワークのうち少なくとも２つのネットワークが複数のMNOで共用される場合に、共用される少なくとも２つのネットワークに対するネットワークリソースの割り当ての効率的な設定に寄与することが可能なネットワーク制御のためのシステム、装置、方法、及びプログラムを提供することである。
【課題を解決するための手段】
【００１１】
一実施形態において、ネットワーク制御システムは、制御モジュールを備える。前記制御モジュールは、RAN、モバイルバックホール、及びコアネットワークのうちの２つ又は全てのネットワークを複数のMNOで共用するために、前記複数のMNO間のネットワークリソースの配分を示す共通のリソース配分情報に従って前記２つ又は全てのネットワークのそれぞれにネットワークリソースの設定を実施するよう構成されている。【００１２】
一実施形態において、制御方法は、（ａ）複数のMNO間のネットワークリソースの配分を示す共通のリソース配分情報を受信すること、及び（ｂ）RAN、モバイルバックホール、及びコアネットワークのうちの２つ又は全てのネットワークを前記複数のMNOで共用するために、前記リソース配分情報を前記２つ又は全てのネットワークのそれぞれに適用されるネットワークリソースの設定情報に変換すること、を含む。【００１３】
一実施形態において、プログラムは、コンピュータに読み込まれた場合に、上述した制御方法をコンピュータに行わせるための命令群（ソフトウェアコード）を含む。【００１４】
一実施形態において、ネットワーク制御装置は、仲介モジュールを含む。前記仲介モジュールは、RAN、モバイルバックホール、及びコアネットワークのうちの２つ又は全てのネットワークを複数のMNOで共用するために、前記複数のMNO間のネットワークリソースの配分を示す共通のリソース配分情報を前記２つ又は全てのネットワークのそれぞれに適用されるネットワークリソースの設定情報に変換するよう構成されている。
【発明の効果】
【００１５】
上述の実施形態によれば、RAN、モバイルバックホール、及びコアネットワークのうち少なくとも２つのネットワークが複数のMNOで共用される場合に、共用される少なくとも２つのネットワークに対するネットワークリソースの割り当ての効率的な設定に寄与することが可能なネットワーク制御のためのシステム、装置、方法、及びプログラムを提供することができる。
【図面の簡単な説明】
【００１６】
【図１】ネットワークシェアリングの一例（つまり、MOCN）を示す図である。
【図２】ネットワークシェアリングの一例（つまり、GWCN）を示す図である。
【図３】ネットワークシェアリングの一例（つまり、仮想化されたコアネットワーク）を示す図である。
【図４】第１〜第３の実施形態に係るネットワーク制御システムの構成例を示す図である。
【図５】第１の実施形態に係る、複数のMNO間のネットワークリソースの配分を示すリソース配分情報に基づくネットワーク制御の一例を示すフローチャートである。
【図６】第２の実施形態に係る、複数のMNO間のネットワークリソースの配分を示すリソース配分情報に基づくネットワーク制御の一例を示すフローチャートである。
【図７】第３の実施形態に係るネットワーク制御の一例を示すフローチャートである。
【発明を実施するための形態】
【００１７】
以下では、具体的な実施形態について、図面を参照しながら詳細に説明する。各図面において、同一又は対応する要素には同一の符号が付されており、説明の明確化のため、必要に応じて重複説明は省略される。
【００１８】
以下に示される複数の実施形態は、主にEvolved Packet System（EPS）に関して説明される。しかしながら、これらの実施形態は、EPSに限定されるものではなく、他のモバイル通信ネットワーク又はシステム、例えばUMTS、及びglobal system for mobile communications（GSM）/ General packet radio service（GPRS）システム等にも適用できる。
【００１９】
＜第１の実施形態＞
始めに、本実施形態を含む複数の実施形態が対象とするネットワークシェアリングのいくつかの例について説明する。図１は、MOCNの例を示している。すなわち、図１の例では、EUTRAN１０及びモバイルバックホール２０が２つのMNO（つまり、MNO A及びMNO B）によって共用される。一方、MNO A及びMNO Bのコアネットワーク（EPC３０Ａ及びEPC３０Ｂ）は共用されない。
【００２０】
EUTRAN１０は、eNB１１を含む。eNB１１は、複数のUE１２と通信する。複数のUE１２は、MNO Aとの加入契約を有するUE、及びMNO Bとの加入契約を有するUEを含む。MNO Aとの加入契約を有するUEは、共通UTRAN１０、共通モバイルバックホール２０、及びMNO AのEPC３０Ａを介して、MNO Aのサービス４０Ａを利用する。一方、MNO Bとの加入契約を有するUEは、共通UTRAN１０、共通モバイルバックホール２０、及びMNO BのEPC３０Ｂを介して、MNO Bのサービス４０Ｂを利用する。
【００２１】
モバイルバックホール２０は、eNB１１をMNO AのEPC３０Ａ及びMNO BのEPC３０Ｂに接続する。図１の例では、モバイルバックホール２０は、パケット通信機器２１及び２２、並びに無線伝送機器２３及び２４を含む。無線伝送機器２３及び２４は、例えばマイクロ波又はミリ波を用いたポイントツーポイント無線リンク２５を形成し、ポイントツーポイント無線リンク２５を介して互いに通信するよう構成されている。無線伝送機器２３及び２４は、例えばLANインタフェースを介してパケット通信機器２１及び２２と通信する。パケット通信機器２１及び２２は、eNB１１と上位ネットワーク装置（つまり、EPC３０Ａ及び３０Ｂ内のMME及びSGW）との間でデータパケット（例えば、レイヤ２ Protocol Data Unit（PDU）、又はレイヤ３PDU）を中継する。パケット通信機器２１及び２２は、レイヤ２スイッチ又はレイヤ３スイッチであってもよい。また、パケット通信機器２１及び２２は、MPLSのlabel switch router（LSR）であってもよい。なお、図１に示されたモバイルバックホール２０の構成は、一例に過ぎない。例えば、モバイルバックホール２０は、PON、SONERT/SDH、又はWDM等の光通信ネットワークを含んでもよいし、DSL又はE1/T1等の銅線ネットワークを含んでもよい。
【００２２】
図２は、GWCNの例を示している。すなわち、図２の例では、図１のMOCNの場合と同様に、EUTRAN１０及びモバイルバックホール２０がMNO A及びMNO Bによって共用される。さらに、図２の例では、コアネットワークの一部（図２に示された共通EPC３１）もMNO A及びMNO Bによって共用される。共通EPC３１は、MME及びSGWを含む。共通EPC３１は、MNO A個別のEPC３２Ａ及びMNO B個別のEPC３２Ｂに接続されている。EPC３２Ａ及び３２Ｂの各々は、PGWを含む。
【００２３】
図３は、仮想化されたコアネットワークの例を示している。図３の例では、仮想化されたコアネットワーク３３は、図示しないサーバー・プール及び物理的なスイッチ群を含むハードウェアと、これらのハードウェアを制御して仮想マシン及び仮想ルータを構成するソフトウェア（一般的に、ハイパーバイザ又は仮想マシンモニタ（Virtual Machine Monitor（VMM）と呼ばれる）を含む。MNO Aの仮想EPC３４Ａ及びMNO Bの仮想EPC３４Ｂの各々は、仮想マシン又は仮想ルータとして構成された論理的なCNノード（仮想MME、仮想SGW、仮想PGWなど）を含む。
【００２４】
図１〜図３は、２つのMNO間でのネットワークシェアリングを示しているが、EUTRAN、モバイルバックホール、及びEPCは、３以上のMNO間で共用されてもよい。さらに、ネットワークシェアリングは、図１〜図３に示された例の他にも考えられる。例えば、図３の例においてコアネットワークに導入されているネットワーク仮想化技術は、共通UTRAN１０及び共通モバイルバックホール２０にも適用することができる。以下に述べる本実施形態に係るネットワーク制御システム及びネットワーク制御方法は、図１〜図３を含む様々なネットワークシェアリング構成に適用することができる。
【００２５】
図４は、本実施形態に係るネットワーク制御システム５００の構成例を示している。ネットワーク制御システム５００は、複数のMNO間のネットワークリソースの配分を示すリソース配分情報を受信する。リソース配分情報は、例えば、Operations Support System（OSS）６００からネットワーク制御システム５００に供給される。リソース配分情報は、EUTRAN１００、モバイルバックホール２００、及びEPC３００を含むモバイル通信ネットワーク全体を単位とした共通的なリソース配分を示す。言い換えると、リソース配分情報に示されたリソース配分は、共通EUTRAN１００、共通モバイルバックホール２００、及び共通EPCに共通的に適用される。リソース配分情報は、例えば、複数のMNOそれぞれに配分されるべきネットワークリソースの量又は割合を示す。リソース配分情報における配分されるネットワークリソースの具体的な指定方法は様々なバリエーションが存在する。一例として、リソース配分情報は、例えば、複数のMNOのそれぞれに配分されるネットワークリソースの量又は割合を明示してもよい。これに代えて、リソース配分情報は、あるMNOに対しては配分されるネットワークリソースの量を明示し、別のMNOに対してはネットワークリソースの残量に対する割合を明示してもよい。
【００２６】
一例として、リソース配分情報は、各MNOに固定的に割り当てられる（保証される）リソースの量又は割合を示してもよい。本明細書では、このようなリソース配分モードを“full reservation mode”と呼ぶ。Full reservation modeの場合、リソース配分情報は、例えば、「MNO Aに４０％、MNO Bに３０％、MNO Cに３０％」のように、各MNOに固定的に割り当てられるリソース割合に対する割合を示す。
【００２７】
他の例において、リソース配分情報は、各MNOに固定的に配分される（保証される）ネットワークリソースの量又は割合と、複数のMNOによって共用されるネットワークリソースの量又は割合を示してもよい。本明細書では、このようなリソース配分モードを“partial reservation mode”と呼ぶ。Partial reservation modeの場合、リソース配分情報は、例えば、「MNO Aに２０％、MNO Bに２０％、MNO Cに２０％、共用リソースに４０％」のように、各MNOに固定的に割り当てられるリソース割合と、共用リソース割合を示す。なお、共用リソース割合は、リソース配分情報において明示されなくてもよい。
【００２８】
さらに他の例において、リソース配分情報は、各MNOに対する固定の保証リソース（保証帯域）は設定されずに、全てのネットワークリソースが複数のMNOによって共用されることを示してもよい。本明細書では、このようなリソース配分モードを“full sharing mode”と呼ぶ。
【００２９】
図４に戻って説明を続ける。共通モバイルバックホール２００、及び共通EPC（又は仮想EPC）３００を複数のMNOで共用するために、ネットワーク制御システム５００は、リソース配分情報に従って、EUTRAN１００、モバイルバックホール２００、及びEPC３００のそれぞれにネットワークリソースの設定を実施（enforce）する。図４の例では、ネットワーク制御システム５００は、Software-Defined Network（SDN）コントローラ５０１、Self-Organizing Network（SON）/Element Management System（EMS）５０２、Backhaul Resource Manager（BRM）５０３、及びSON/EMS５０４を含む。SDNコントローラ５０１は、リソース配分情報をEUTRAN１００、モバイルバックホール２００、及びEPC３００それぞれのリソース割り当てに適したリソース割り当て設定に変換する仲介モジュールとして動作する。そして、SON/EMS５０２、BRM５０３、及びSON/EMS５０４は、SDNコントローラ５０１によって生成されたリソース割り当て設定に従って、EUTRAN１００内のノード（例えば、eNB）、モバイルバックホール２００内のノード（例えば、パケット通信機器、無線伝送機器）、及びEPC３００内のノード（例えば、MME、S/PGW）に対する設定を実施する実施モジュールとして動作する。
【００３０】
より具体的に説明すると、SDNコントローラ５０１は、共通のリソース配分情報を、EUTRAN１００のためのリソース割り当て設定（RAN設定情報）、モバイルバックホール２００のためのリソース割り当て設定（バックホール設定情報）、及びEPC３００のためのリソース割り当て設定（EPC設定情報）に変換してもよい。既に述べたように、EUTRAN１００、モバイルバックホール２００、及びEPC３００は、複数のMNOに割り当てられるべきネットワークリソースがそれぞれ異なる。したがって、RAN設定情報、バックホール設定情報、及びEPC設定情報は、EUTRAN１００、モバイルバックホール２００、及びEPC３００それぞれのネットワークリソースの複数のMNOへの割り当て設定を示す。
【００３１】
RAN設定情報は、例えば、EUTRAN１００の無線リソース（周波数、時間、又はリソースブロック）の複数のMNOに対する割り当てを示す。RAN設定情報は、EUTRAN１００内のeNBに、SON/EMS５０２によって適用され、eNBにおけるダウンリンク送信及びアップリンク送信の少なくとも一方のスケジューリングに反映される。また、RAN設定情報は、EUTRAN１００のその他のネットワークリソースの複数のMNOに対する割り当てを示してもよい。EUTRAN１００のその他のネットワークリソースは、接続UE数、UE種別および確立ベアラ種別に基づいて計算されたセル負荷、トランスポートリソース、並びにCPU及びメモリ等のRAN内ハードウェアリソースのうち少なくとも１つを含んでもよい。
【００３２】
バックホール設定情報は、例えば、モバイルバックホール２００のネットワーク帯域の複数のMNOに対する割り当てを示す。バックホール設定情報は、モバイルバックホール２００のノード（例えば、パケット通信機器、無線伝送機器）にBRM５０３によって適用される。バックホール設定情報は、例えば、モバイルバックホール２００のノードにおいて、（ａ）Virtual Private Network（VPN）設定、（ｂ）VLAN設定、（ｃ）MPLS設定、（ｄ）VLAN又はMPLSパスに対するトラフィックシェーピング設定、及び（ｄ）VLAN又はMPLSパスに対するトラフィックスケジューリング設定、のうち少なくとも１つに反映される。バックホール設定情報は、モバイルバックホール２００のその他のネットワークリソースの複数のMNOに対する割り当てを示してもよい。モバイルバックホール２００のその他のネットワークリソースは、トラフィック種別（VLAN ID、UE種別、確立ベアラ種別またはDiffServ Code Point（DSCP）など）に基づくWRR又はWFQのキュー優先度設定及びウェイト設定を含んでもよい。
【００３３】
図２示したGWCN構成の場合、EPC設定情報は、EPC（共通EPC）３００のネットワークリソースの複数のMNOに対する割り当てを示してもよい。EPC設定情報は、EPC３００内のCNノード（例えば、SGW）にSON/EMS５０４によって適用され、データプレーンにおけるトラフィックシェーピング設定及びトラフィックスケジューリング設定のうち少なくとも１つに反映される。EPC設定情報は、EPC３００のその他のネットワークリソースの複数のMNOに対する割り当てを示してもよい。EPC３００のその他のネットワークリソースは、CNノードにおけるCPU利用率、メモリ利用率、並びにトラフィック流入量及び流出量の保証帯域のうち少なくとも１つを含んでもよい。
【００３４】
一方、図３に示した仮想化されたコアネットワーク構成の場合、EPC設定情報は、例えば、EPC（仮想EPC）３００を構成するハードウェア（サーバー・プール、物理スイッチ群）において各MNOの仮想CNノードを動作させるためのコンピューティングリソース又はスイッチング容量の割り当てを示してもよい。EPC設定情報は、図示しないハードウェア（サーバー・プール、物理スイッチ群）を直接的に制御するハイパーバイザにおいてハードウェアの設定に利用される。
【００３５】
なお、図４に示されたSDNコントローラ５０１、SON/EMS５０２、BRM５０３、及びSON/EMS５０４の機能は、いずれも１又は複数のコンピュータに実装される。したがって、SON/EMS５０２、BRM５０３、及びSON/EMS５０４のうち少なくとも１つは、SDNコントローラ５０１と共通のコンピュータに実装されてもよい。言い換えると、SON/EMS５０２、BRM５０３、及びSON/EMS５０４のうち少なくとも１つは省略されてもよい。
【００３６】
図５は、本実施形態に係るネットワーク制御方法の一例を示すフローチャートである。ステップＳ１１では、ネットワーク制御システム５００（SDNコントローラ５０１）は、複数のMNO間のネットワークリソースの配分を示すリソース配分情報を受信する。リソース配分情報は、EUTRAN１００、モバイルバックホール２００、及びEPC３００を含むモバイル通信ネットワーク全体の共通的なリソース配分を示す。
【００３７】
ステップＳ１２では、ネットワーク制御システム５００（SDNコントローラ５０１）は、リソース配分情報に従って、EUTRAN１００の無線リソースの割り当て設定を生成する。ステップＳ１３では、ネットワーク制御システム５００（SDNコントローラ５０１）は、リソース配分情報に従って、モバイルバックホール２００のネットワーク帯域の割り当て設定を生成する。ステップＳ１４では、ネットワーク制御システム５００（SDNコントローラ５０１）は、リソース配分情報に従って、EPC３００のネットワークリソース（仮想EPCの場合はコンピューティングリソース）の割り当て設定を生成する。なお、図５に示されたステップＳ１２〜Ｓ１４の実行順序は一例に過ぎない。ステップＳ１２〜Ｓ１４の実行順序は、図５に示された順序とは異なる任意の順序であってもよく、ステップＳ１２〜Ｓ１４は並行して実行されてもよい。
【００３８】
ステップＳ１５では、ネットワーク制御システム５００（SON/EMS５０２、BRM５０３、及びSON/EMS５０４）は、生成されたリソース割り当て設定をEUTRAN１００、モバイルバックホール２００、及びEPC３００それぞれに適用する。
【００３９】
上述したことから理解されるように、本実施形態に係るネットワーク制御システム５００は、EUTRAN１００、モバイルバックホール２００、及びEPC３００を含むモバイル通信ネットワーク全体の共通的なリソース配分を示すリソース配分情報に従って、EUTRAN１００、モバイルバックホール２００、及びEPC３００のそれぞれに対するリソース割り当て設定を行うよう動作する。したがって、本実施形態によれば、オペレータは、EUTRAN１００、モバイルバックホール２００、及びEPC３００のそれぞれに個別のリソース割り当て設定を行う作業の負荷が軽減される。また、本実施形態によれば、EUTRAN１００、モバイルバックホール２００、及びEPC３００のそれぞれにオペレータが個別に設定を行う場合に比べて、設定誤り又は不適切な設定を減らすことが期待できる。なぜなら、オペレータは、EUTRAN１００、モバイルバックホール２００、及びEPC３００を含むモバイル通信ネットワーク全体の共通的なリソース配分を指定するだけでよいためである。
【００４０】
＜第２の実施形態＞
本実施形態では、上述した第１の実施形態の変形例について説明する。本実施形態に係るネットワーク制御システムの構成例は、図４と同様である。本実施形態では、リソース配分情報は、互いに異なる第１及び第２のリソース配分情報を含む。本実施形態に係るネットワーク制御システム５００は、共通EUTRAN１００、共通モバイルバックホール２００、及び共通（又は仮想）EPC３００のうちのいずれかの通信状態に応じて第１及び第２のリソース配分情報のいずれを使用するかを選択する。言い換えると、ネットワーク制御システム５００は、モバイル通信ネットワークの通信状態に応じて、モバイル通信ネットワークに適用されるリソース配分情報を切り替える。例えば、第１のリソース配分情報は、モバイル通信ネットワークの通信状態が良好であるときに使用され、第２のリソース配分情報は、モバイル通信ネットワークの通信状態が劣化しているときに使用されてもよい。そして、ネットワーク制御システム５００は、選択されたリソース配分情報に従って、共通EUTRAN１００、共通モバイルバックホール２００、及び共通（又は仮想）EPC３００のそれぞれにネットワークリソースの設定を実施するよう動作する。
【００４１】
すなわち、本実施形態では、モバイル通信ネットワークの通信状態に応じて、複数のMNOに対するネットワークリソースの配分を動的に変更することが可能となる。例えば、複数のMNOは平等ではなく、優先されたMNOとそれ以外のMNOが存在してもよい。この場合、優先されたMNOは、モバイル通信ネットワークの通信状態に関わらず、一定のリソース割合が割り当てられてもよい。一方、他のMNOは、モバイル通信ネットワークの通信状態が劣化したときは、通信状態が良好である場合に比べて少ないリソース割合が割り当てられてもよい。
【００４２】
モバイルバックホール２００においてマイクロ波又はミリ波を用いたポイントツーポイント無線リンク（例えば、図１〜図３の無線リンク２５）が使用される場合を考える。ポイントツーポイント無線リンクの通信品質は、気象条件（例えば、雨、霧、煙霧）に依存する。雨、霧、又は煙霧等は、２つの通信装置の間の視程を悪化させ、無線信号（例えば、マイクロ波又はミリ波）を減衰させるためである。このため、ポイントツーポイント無線システムでは、ポイントツーポイント無線リンクの通信品質（例えば、受信信号強度（Received Signal Strength Indicator (RSSI)）、Signal to Noise Ratio（SNR）、又はBit Error Rate（BER））に基づいて、変調スキーム及び符号化率（code rate）などを適応的に調整する適応処理が行われる。無線リンクの通信品質に基づいて変調スキーム及び符号化率などを調整する適応処理は、Adaptive Modulation and Coding（AMC）、又はリンクアダプテーションと呼ばれる。変調スキーム及び符号化率などを変更することで、ポイントツーポイント無線リンクのビットレート（スループット）が変化する。
【００４３】
すなわち、モバイルバックホール２００においてポイントツーポイント無線リンクが使用される場合、モバイルバックホール２００のビットレート（スループット）は頻繁に変動しやすい傾向がある。したがって、モバイルバックホール２００に使用されたポイントツーポイント無線リンクの通信状態（例えば、通信品質、スループット、変調スキーム、及び符号化率）に応じて、複数のMNOに対するネットワークリソースの配分を動的に変更するとよい。
【００４４】
図６は、本実施形態に係るネットワーク制御方法の一例を示すフローチャートである。図６は、共通モバイルバックホール２００の通信状態に応じて、複数のMNOに対するネットワークリソースの配分が動的に変更される例を示している。ステップＳ２１では、ネットワーク制御システム５００（SDNコントローラ５０１）は、モバイルバックホール２００の通信状態を取得する。SDNコントローラ５０１は、BRM５０３と通信し、モバイルバックホール２００の通信状態を示すメッセージをBRM５０３から受信すればよい。
【００４５】
ステップＳ２２では、ネットワーク制御システム５００（SDNコントローラ５０１）は、モバイルバックホール２００の通信状態に応じて、第１及び第２のリソース配分情報のいずれを使用するかを選択する。ステップＳ２３では、ネットワーク制御システム５００（SDNコントローラ５０１）は、選択されたリソース配分情報に従って、共通EUTRAN１００、共通モバイルバックホール２００、及び共通（又は仮想）EPC３００のそれぞれに対するリソース割り当て設定を生成する。ステップＳ２４では、ネットワーク制御システム５００（SON/EMS５０２、BRM５０３、及びSON/EMS５０４）は、生成されたリソース割り当て設定をEUTRAN１００、モバイルバックホール２００、及びEPC３００それぞれに適用する。
【００４６】
＜第３の実施形態＞
本実施形態では、上述した第１又は第２の実施形態の変形例について説明する。本実施形態に係るネットワーク制御システムの構成例は、図４と同様である。本実施形態では、共通EUTRAN１００に結合されたSON/EMS５０２及び共通（仮想）EPC３００に結合されたSON/EMS５０４の一方又は両方は、共通モバイルバックホール２００に結合されたBRM５０３と通信するよう構成されている。さらに、SON/EMS５０２及びSON/EMS５０４の一方又は両方は、モバイルバックホール２００の通信状態を示すメッセージをBRM５０３から受信するとともに、モバイルバックホール２００の通信状態に応じて、RAN１００又はEPC３００に適用される複数のMNOに対するリソース割り当て設定を変更するよう構成されている。
【００４７】
例えば、SON/EMS５０２及びSON/EMS５０４の一方又は両方は、モバイルバックホール２００の通信状態が良好であるときに適用されるべき第１のリソース割り当て設定と、モバイルバックホール２００の通信状態が劣化しているときに適用されるべき第２のリソース割り当て設定をSDNコントローラ５０１から予め受信しておいてもよい。そして、SON/EMS５０２及びSON/EMS５０４の一方又は両方は、BRM５０３から通知されたモバイルバックホール２００の通信状態に応じて、第１のリソース割り当て設定と第２のリソース割当設定を切り替えてもよい。
【００４８】
本実施形態によれば、SDNコントローラ５０１を経由せずに、SON/EMS５０２（又はSON/EMS５０４）とBRM５０３の直接的な通信に基づいてEUTRAN１００（又はEPC３００）における複数のMNOに対するリソース割り当てを変更できる。したがって、SDNコントローラ５０１を経由する場合に比べて、RAN１００（又はEPC３００）におけるリソース割り当て設定をモバイルバックホール２００の通信状態に応じて動的に変更する処理に要する遅延時間を低減することが期待できる。
【００４９】
図７は、本実施形態に係るネットワーク制御方法の一例を示すフローチャートである。図７は、共通モバイルバックホール２００の通信状態に応じて、共通EUTRAN１００における複数のMNOに対するリソース割り当て設定が動的に変更される例を示している。ステップＳ３１では、EUTRAN１００のSON/EMS５０２は、モバイルバックホール２００の通信状態を示すメッセージをBRM５０３から受信する。ステップＳ３２では、SON/EMS５０２は、BRM５０３から通知されたモバイルバックホール２００の通信状態に応じて、EUTRAN１００に適用される複数のMNOに対する無線リソースの割り当て設定を変更する。
【００５０】
＜その他の実施形態＞
第１〜第３の実施形態は、主に、RAN、モバイルバックホール、及びコアネットワークの全てが複数のMNOによって共用される場合について説明した。しかしながら、第１〜第３の実施形態は、図１に示されているようにRAN及びモバイルバックホールのみが複数のMNOによって共用されるケースにも適用することができる。すなわち、第１〜第３の実施形態は、RAN、モバイルバックホール、及びコアネットワークのうちの２つ又は全てのネットワークが複数のMNOによって共用されるケースに適用することができる。
【００５１】
第３の実施形態の動作は、第１及び第２の実施形態で説明されたリソース配分情報に基づくリソース割り当て制御とは独立して行われてもよい。言い換えると、第３の実施形態の動作は、第１及び第２の実施形態で述べたリソース配分情報に基づくリソース割り当て制御を行わないモバイル通信ネットワーク及び制御システムにおいても有用である。
【００５２】
上述した複数の実施形態で説明されたネットワーク制御システム５００、SDNコントローラ５０１、SON/EMS５０２、BRM５０３、及びSON/EMS５０４において行われる方法は、少なくとも１つのプロセッサ（e.g. マイクロプロセッサ、Micro Processing Unit（MPU）、Digital Signal Processor（DSP））を含むコンピュータシステムにプログラムを実行させることによって実現されてもよい。具体的には、フローチャート等を用いて説明されたアルゴリズムをコンピュータシステムに行わせるための命令群を含む１又は複数のプログラムを作成し、当該プログラムをコンピュータに供給すればよい。
【００５３】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、Compact Disc Read Only Memory（CD-ROM）、CD-R、CD-R/W、半導体メモリ（例えば、マスクROM、Programmable ROM（PROM）、Erasable PROM（EPROM）、フラッシュROM、Random Access Memory（RAM））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００５４】
上述した複数の実施形態は、主にEPSに関して説明を行った。しかしながら、既に述べたように、これらの実施形態は、EPS以外のモバイル通信ネットワーク又はシステム、例えば、UMTS、GSM/GPRSシステム、3GPP2 CDMA2000システム、及びLTE-Advanced システム等に適用されてもよい。
【００５５】
さらに、上述した実施形態は本件発明者により得られた技術思想の適用に関する例に過ぎない。すなわち、当該技術思想は、上述した実施形態のみに限定されるものではなく、種々の変更が可能であることは勿論である。
【００５６】
例えば、本件発明者等により得られた技術思想は、以下に示す複数の付記を含む。
（付記Ａ１）
複数のモバイルネットワークオペレータ間のネットワークリソースの配分を示す共通のリソース配分情報を受信すること、及び
無線アクセスネットワーク、モバイルバックホールネットワーク、及びコアネットワークのうちの２つ又は全てのネットワークを前記複数のモバイルネットワークオペレータで共用するために、前記リソース配分情報を前記２つ又は全てのネットワークのそれぞれに適用されるネットワークリソースの設定情報に変換すること、
を備える制御方法。
（付記Ａ２）
前記設定情報は、前記無線アクセスネットワークの無線リソースの割り当てに関する第１の設定情報を含み、
前記第１の設定情報は、前記無線アクセスネットワーク内の第１のネットワークエレメントにおいて、ダウンリンク送信及びアップリンク送信の少なくとも一方のスケジューリングに反映される、
付記Ａ１に記載の制御方法。
（付記Ａ３）
前記設定情報は、前記モバイルバックホールネットワークのネットワーク帯域の割り当てに関する第２の設定情報を含み、
前記第２の設定情報は、前記モバイルバックホールネットワーク内の第２のネットワークエレメントにおいて、Virtual Private Network（VPN）設定、Virtual Local Area Network（VLAN）設定、Multi-protocol Label Switching（MPLS）設定、トラフィックシェーピング設定、及びトラフィックスケジューリング設定のうち少なくとも１つに反映される、
付記Ａ１又はＡ２に記載の制御方法。
（付記Ａ４）
前記設定情報は、前記コアネットワークを構成する少なくとも１つのハードウェアにおいて前記複数のモバイルオペレータそれぞれの仮想化されたコアネットワークノードを動作させるための第３の設定情報を含み、
前記第３の設定情報は、前記少なくとも１つのハードウェアのコンピューティングリソースの割り当てを示す、
付記Ａ１〜Ａ３のいずれか１項に記載の制御方法。
（付記Ａ５）
前記設定情報は、前記コアネットワークのネットワークリソースの割り当てに関する第３の設定情報を含み、
前記第３の設定情報は、前記前記コアネットワーク内の第３のネットワークエレメントにおいて、トラフィックシェーピング設定及びトラフィックスケジューリング設定のうち少なくとも１つに反映される、
付記Ａ１〜Ａ３のいずれか１項に記載の制御方法。
（付記Ａ６）
前記リソース配分情報は、前記複数のモバイルネットワークオペレータそれぞれに配分されるべきネットワークリソースの量又は割合を示す、付記Ａ１〜Ａ５のいずれか１項に記載の制御方法。
（付記Ａ７）
前記リソース配分情報は、前記複数のモバイルネットワークオペレータそれぞれに固定的に配分されるネットワークリソースの量又は割合と、前記複数のモバイルネットワークオペレータによって共用されるネットワークリソースの量又は割合を示す、付記Ａ６に記載の制御方法。
（付記Ａ８）
前記設定情報に従って前記２つ又は全てのネットワークのそれぞれに対する設定を実施することをさらに備える、付記Ａ１〜Ａ５のいずれか１項に記載の制御方法。
（付記Ａ９）
前記リソース配分情報は、第１のリソース配分情報、及び前記第１のリソース配分情報とはネットワークリソースの配分が異なる第２のリソース配分情報を含み、
前記実施することは、前記２つ又は全てのネットワークのうちのいずれかのネットワークの通信状態に応じて前記第１及び第２のリソース配分情報から選択されたリソース配分情報に従って、前記２つ又は全てのネットワークのそれぞれにネットワークリソースの設定を実施することを含む、
付記Ａ８に記載の制御方法。
（付記１０）
前記いずれかのネットワークは、前記モバイルバックホールネットワークであり、
前記モバイルバックホールネットワークは、ポイントツーポイント無線リンクを含み、
前記通信状態は、前記ポイントツーポイント無線リンクの通信品質、スループット、変調スキーム、及び符号化率の少なくとも１つに関する、
付記Ａ９に記載の制御方法。
【００５７】
（付記Ｂ１）
無線アクセスネットワーク、モバイルバックホールネットワーク、及びコアネットワークのうちの２つ又は全てのネットワークを複数のモバイルネットワークオペレータで共用するために、前記複数のモバイルネットワークオペレータ間のネットワークリソースの配分を示す共通のリソース配分情報を前記２つ又は全てのネットワークのそれぞれに適用されるネットワークリソースの設定情報に変換する仲介モジュールを備える、
ネットワーク制御装置。
（付記Ｂ２）
前記仲介モジュールは、前記２つ又は全てのネットワークのいずれかに対して設定を実施する実施モジュールに前記設定情報を供給する、付記Ｂ１に記載のネットワーク制御装置。
（付記Ｂ３）
前記実施モジュールは、前記無線アクセスネットワークと結合されるElement Management System（EMS）、又は前記モバイルバックホールネットワークと結合されるBackhaul Resource Manager（BRM）を含む、付記Ｂ２に記載のネットワーク制御装置。
（付記Ｂ４）
前記設定情報は、前記無線アクセスネットワークの無線リソースの割り当てに関する第１の設定情報を含み、
前記第１の設定情報は、前記無線アクセスネットワーク内の第１のネットワークエレメントにおいて、ダウンリンク送信及びアップリンク送信の少なくとも一方のスケジューリングに反映される、
付記Ｂ１〜Ｂ３のいずれか１項に記載のネットワーク制御装置。
（付記Ｂ５）
前記設定情報は、前記モバイルバックホールネットワークのネットワーク帯域の割り当てに関する第２の設定情報を含み、
前記第２の設定情報は、前記モバイルバックホールネットワーク内の第２のネットワークエレメントにおいて、Virtual Private Network（VPN）設定、Virtual Local Area Network（VLAN）設定、Multi-protocol Label Switching（MPLS）設定、トラフィックシェーピング設定、及びトラフィックスケジューリング設定のうち少なくとも１つに反映される、
付記Ｂ１〜Ｂ４のいずれか１項に記載のネットワーク制御装置。
（付記Ｂ６）
前記設定情報は、前記コアネットワークを構成する少なくとも１つのハードウェアにおいて前記複数のモバイルオペレータそれぞれの仮想化されたコアネットワークノードを動作させるための第３の設定情報を含み、
前記第３の設定情報は、前記少なくとも１つのハードウェアのコンピューティングリソースの割り当てを示す、
付記Ｂ１〜Ｂ５のいずれか１項に記載のネットワーク制御装置。
（付記Ｂ７）
前記設定情報は、前記コアネットワークのネットワークリソースの割り当てに関する第３の設定情報を含み、
前記第３の設定情報は、前記前記コアネットワーク内の第３のネットワークエレメントにおいて、トラフィックシェーピング設定及びトラフィックスケジューリング設定のうち少なくとも１つに反映される、
付記Ｂ１〜Ｂ５のいずれか１項に記載のネットワーク制御装置。
（付記Ｂ８）
前記リソース配分情報は、前記複数のモバイルネットワークオペレータそれぞれに配分されるべきネットワークリソースの量又は割合を示す、付記Ｂ１〜Ｂ７のいずれか１項に記載のネットワーク制御装置。
（付記Ｂ９）
前記リソース配分情報は、前記複数のモバイルネットワークオペレータそれぞれに固定的に配分されるネットワークリソースの量又は割合と、前記複数のモバイルネットワークオペレータによって共用されるネットワークリソースの量又は割合を示す、付記Ｂ８に記載のネットワーク制御装置。
【００５８】
（付記Ｃ１）
モバイルバックホールネットワークの管理システムと通信することで前記モバイルバックホールネットワークの通信状態を示すメッセージを受信するとともに、前記モバイルバックホールネットワークの通信状態に応じて、無線アクセスネットワーク又はコアネットワークに適用される複数のモバイルネットワークオペレータに対するネットワークリソースの割り当て設定を変更する実施モジュールと、
を備える、ネットワーク管理装置。
（付記Ｃ２）
前記モバイルバックホールネットワークは、ポイントツーポイント無線リンクを含み、
前記通信状態は、前記ポイントツーポイント無線リンクの通信品質、スループット、変調スキーム、及び符号化率の少なくとも１つに関する、
付記Ｃ１に記載のネットワーク管理装置。
（付記Ｃ３）
無線アクセスネットワーク又はコアネットワークの管理装置において行われる方法であって、
モバイルバックホールネットワークの管理システムから前記モバイルバックホールネットワークの通信状態を示すメッセージを受信すること、及び
前記モバイルバックホールネットワークの通信状態に応じて、前記無線アクセスネットワーク又は前記コアネットワークに適用される複数のモバイルネットワークオペレータに対するネットワークリソースの割り当て設定を変更すること、
を備える、方法。
（付記Ｃ４）
前記モバイルバックホールネットワークは、ポイントツーポイント無線リンクを含み、
前記通信状態は、前記ポイントツーポイント無線リンクの通信品質、スループット、変調スキーム、及び符号化率の少なくとも１つに関する、
付記Ｃ３に記載の方法。
（付記Ｃ５）
付記Ｃ３又はＣ４に記載の方法をコンピュータに行わせるためのプログラム。
【００５９】
この出願は、２０１３年１０月１８日に出願された日本出願特願２０１３−２１７６８１を基礎とする優先権を主張し、その開示の全てをここに取り込む。
【符号の説明】
【００６０】
１０、１００  共通Evolved UTRAN（EUTRAN）
１１  eNodeB
１２  User Equipment（UE）
２０、２００  共通モバイルバックホール
２１、２２  パケット通信機器
２３、２４  パケット通信機器
２５  ポイントツーポイント無線リンク
３０Ａ、３０Ｂ、３２Ａ、３２Ｂ  Evolved Packet Core（EPC）
３１  共通EPC
３３  仮想化されたコアネットワーク
３４Ａ、３４Ｂ  仮想EPC
３００  共通EPC又は仮想EPC
５００  ネットワーク制御システム
５０１  Software-Defined Network（SDN）コントローラ
５０２、５０４  Self-Organizing Network（SON）/Element Management System（EMS）
５０３  Backhaul Resource Manager（BRM）
６００  Operations Support System（OSS）
【図１】
2015056392.tif 000003
【図２】
2015056392.tif 000004
【図３】
2015056392.tif 000005
【図４】
2015056392.tif 000006
【図５】
2015056392.tif 000007
【図６】
2015056392.tif 000008
【図７】
2015056392.tif 000009
【手続補正書】
【提出日】平成28年4月4日(2016.4.4)
【手続補正１】
【補正対象書類名】特許請求の範囲
【補正対象項目名】請求項１９
【補正方法】変更
【補正の内容】
【請求項１９】
請求項１７に記載の制御方法をコンピュータに行わせるためのプログラム。
【国際調査報告】
2015056392.tif 000010
2015056392.tif 000011
2015056392.tif 000012
2015056392.tif 000013
2015056392.tif 000014
2015056392.tif 000015
2015056392.tif 000016
2015056392.tif 000017